(57)【要約】【課題】瞬きといった生理現象を利用しなくても、利用者の意思で表示情報を部分拡大可能とする。【解決手段】携帯電話機１１の筐体には、表示部２１と操作キー１７とが設けられている。表示部２１には、通常サイズの文字が表示されている。利用者が操作キー１７を介して視点位置自動拡大機能をＯＮにすると、本携帯電話機１１は、カメラ１９を利用して利用者の視点位置を検出し、表示部２１の画面上の視点位置１を、虫眼鏡を利用するように、拡大範囲２を部分拡大して表示する。該視点位置自動拡大機能を利用したくない場合には、操作キー１７を介して視点位置自動拡大機能をＯＦＦにすることで、拡大表示されなくなる。【選択図】図１
2012084040.tif 000002
【特許請求の範囲】
【請求項１】
情報を表示する表示手段と、
利用者の視点位置を検出する視点位置検出手段と、
前記表示手段の画面上における、前記視点位置検出手段によって検出された利用者の視点位置に対応する部分に表示されている情報を拡大表示する拡大表示手段と
を備えることを特徴とする携帯端末装置。
【請求項２】
前記視点位置検出手段によって検出された利用者の視点位置が一定範囲内に一定時間以上停止したか否かを判定する判定手段を更に備え、
前記拡大表示手段は、
前記判定手段によって利用者の視点位置が一定範囲内に一定時間以上停止したと判定された場合、前記表示手段の画面上における、前記利用者の視点位置に対応する部分に表示されている情報を拡大表示する、
ことを特徴とする請求項１に記載の携帯端末装置。
【請求項３】
前記利用者の眼部が撮影できる位置に搭載される撮影手段を更に備え、
前記視点位置検出手段は、
前記撮影手段によって撮影された撮影画像から、前記利用者の視点位置に対応する前記表示手段の画面上の位置を特定する、
ことを特徴とする請求項１または２に記載の携帯端末装置。
【請求項４】
前記拡大表示手段による前記利用者の視点位置に対応する部分に表示されている情報の拡大表示の実行、停止を指示する指示操作手段を更に備えることを特徴とする請求項１から３のいずれかに記載の携帯端末装置。
【請求項５】
表示部の画面上に情報を表示する表示ステップと、
利用者の視点位置を検出する視点位置検出ステップと、
前記表示部の画面上における、前記視点位置検出ステップで検出された利用者の視点位置に対応する部分に表示されている情報を拡大表示する拡大表示ステップと
を含むことを特徴とする拡大表示方法。
【請求項６】
前記視点位置検出ステップで検出された利用者の視点位置が一定範囲内に一定時間以上停止したか否かを判定する判定ステップを更に含み、
前記拡大表示ステップは、
前記判定ステップで利用者の視点位置が一定範囲内に一定時間以上停止したと判定された場合、前記表示部の画面上における、前記利用者の視点位置に対応する部分に表示されている情報を拡大表示する、
ことを特徴とする請求項５に記載の拡大表示方法。
【請求項７】
前記利用者の眼部を撮影する撮影ステップを更に含み、
前記視点位置検出ステップは、
前記撮影ステップで撮影された撮影画像から、前記利用者の視点位置に対応する前記表示手段の画面上の位置を特定する、
ことを特徴とする請求項５または６に記載の拡大表示方法。
【請求項８】
前記拡大表示ステップによる前記利用者の視点位置に対応する部分に表示されている情報の拡大表示の実行、停止を指示する指示操作ステップを更に含むことを特徴とする請求項５から７のいずれかに記載の拡大表示方法。
【請求項９】
表示部を備える携帯端末装置のコンピュータに、
前記表示部の画面上に情報を表示する表示機能、
利用者の視点位置を検出する視点位置検出機能、
前記表示部の画面上における、前記視点位置検出機能で検出された利用者の視点位置に対応する部分に表示されている情報を拡大表示する拡大表示機能
を実行させることを特徴とするプログラム。
【請求項１０】
前記視点位置検出機能で検出された利用者の視点位置が一定範囲内に一定時間以上停止したか否かを判定する判定機能を更に実行させ、
前記拡大表示機能は、
前記判定機能で利用者の視点位置が一定範囲内に一定時間以上停止したと判定された場合、前記表示部の画面上における、前記利用者の視点位置に対応する部分に表示されている情報を拡大表示する、
ことを特徴とする請求項９に記載のプログラム。
【発明の詳細な説明】
【技術分野】
【０００１】
本発明は、利用者の視点位置を検出し、画面上のその視点位置を自動的に部分拡大し表示する携帯端末装置、拡大表示方法、及びプログラムに関する。
【背景技術】
【０００２】
一般的に普及している携帯端末装置の画面サイズは、小さく、画面に大量の情報を表示しようとすると、どうしても文字や、画像等の情報が小さく表示されてしまう。そのため、高齢者等、視力の悪い利用者は、その文字や、画像等を視認できないといった問題がある。文字の場合、設定により全体的な文字サイズを大きくすることが可能であるが、その分、画面に表示される情報量が少なくなるといった問題がある。
【０００３】
そこで、特許文献１では、画面に表示される情報量を変更せずに、利用者の瞬きを検出し、画面上の一部分のみ、虫眼鏡を利用するように部分拡大して表示する技術が提案されている。
【先行技術文献】
【特許文献】
【０００４】
【特許文献１】特開２００９−２５１６５８号公報
【発明の概要】
【発明が解決しようとする課題】
【０００５】
しかしながら、上述した特許文献１では、瞬きで拡大の制御を行っているが、瞬きは生理現象であるため、どうしても利用者の意思で制御しきれないという問題があった。
【０００６】
本発明は、上述の課題を解決することのできる携帯端末装置、拡大表示方法、及びプログラムを提供することにある。
【課題を解決するための手段】
【０００７】
上述した課題を解決するために、本発明は、情報を表示する表示手段と、利用者の視点位置を検出する視点位置検出手段と、前記表示手段の画面上における、前記視点位置検出手段によって検出された利用者の視点位置に対応する部分に表示されている情報を拡大表示する拡大表示手段とを備えることを特徴とする携帯端末装置である。
【０００８】
また、上述した課題を解決するために、本発明は、表示部の画面上に情報を表示する表示ステップと、利用者の視点位置を検出する視点位置検出ステップと、前記表示部の画面上における、前記視点位置検出ステップで検出された利用者の視点位置に対応する部分に表示されている情報を拡大表示する拡大表示ステップとを含むことを特徴とする拡大表示方法である。
【０００９】
また、上述した課題を解決するために、本発明は、表示部を備える携帯端末装置のコンピュータに、前記表示部の画面上に情報を表示する表示機能、利用者の視点位置を検出する視点位置検出機能、前記表示部の画面上における、前記視点位置検出機能で検出された利用者の視点位置に対応する部分に表示されている情報を拡大表示する拡大表示機能を実行させることを特徴とするプログラムである。
【発明の効果】
【００１０】
この発明によれば、瞬きといった生理現象を利用しなくても、利用者の意思で表示情報を部分拡大することができる。
【図面の簡単な説明】
【００１１】
【図１】本発明の実施形態による携帯端末装置としての携帯電話機の外観を示す斜視図である。
【図２】本実施形態による携帯電話機の構成を示すブロック図である。
【図３】本実施形態による携帯電話機１１の動作を説明するためのフローチャートである。
【発明を実施するための形態】
【００１２】
以下、本発明の一実施形態を、図面を参照して説明する。
【００１３】
図１は、本発明の実施形態による携帯端末装置としての携帯電話機の外観を示す斜視図である。図において、携帯電話機１１の筐体には、表示部２１と操作キー１７とが設けられている。表示部２１には、通常サイズの文字が表示されている。利用者が操作キー１７を介して視点位置自動拡大機能をＯＮにすると、本携帯端末装置は、カメラ１９を利用して利用者の視点位置を検出し、表示部２１の画面上の視点位置１を、虫眼鏡を利用するように、拡大範囲２を部分拡大して表示する。該視点位置自動拡大機能を利用したくない場合には、操作キー１７を介して視点位置自動拡大機能をＯＦＦにすることで、自動拡大表示されなくなる。
【００１４】
また、視点位置を常に部分拡大すると、利用者が画面に表示されている情報の全体像を把握するために、視点を画面全体における何れかの位置にずらした場合も、その視点に拡大部分がついて回り、全体像の把握が困難な可能性がある。そこで、視点が移動した時点では、部分拡大せずに、視点が一定範囲に、一定時間停止した際に部分拡大するようになっている。この場合、視点が停止すべき一定の範囲の大きさや、停止している一定時間の長さは、利用者が設定できるものとする。また、常に部分拡大したい場合には、一定の時間の長さの設定値を０秒に設定する等の方法で、常時視点位置の部分拡大を可能としてもよい。
【００１５】
本実施形態によれば、利用者は、視点位置拡大機能をＯＮにするだけで、視点位置で画面上の情報が自動的に部分拡大して表示されるため、特別な操作をすることなく、視点位置の情報が拡大された状態で閲覧することができる。
【００１６】
図２は、本実施形態による携帯電話機の構成を示すブロック図である。図２において、本実施形態の携帯電話機１１は、ＣＰＵ（中央処理装置）１２を搭載しており、ＣＰＵ１２は、バス１３を介して装置内の各部と接続されている。ＲＯＭ１４は、ＣＰＵ１２が実行するための各種の制御用プログラムや、かな文字変換等に使用される辞書等の固定的なデータを格納したリード・オンリ・メモリである。
【００１７】
作業用メモリ１５は、ＲＡＭ（ランダム・アクセス・メモリ）によって構成されており、ＣＰＵ１２がプログラムを実行する上で一時的に必要とされるデータを格納する。キー入力部１６は、操作キー１７を含む各種のキーからキー入力を受け付ける。利用者は、操作キー１７、キー入力部１６を通して、本携帯電話端末の操作を行う。また、視点位置自動拡大機能ＯＮ／ＯＦＦの操作についても、操作キー１７、キー入力部１６を介して行われる。
【００１８】
視点位置検出部１８は、カメラ１９から入力された撮影画像から利用者の視点の位置を検出し、表示部２１のどの位置に視点があるのかを算出し、算出結果を表示制御部２１へ供給する。カメラ１９は、利用者が携帯電話機１１を一般的な利用方法で利用しているとして、その利用者の眼部が撮影できる位置に搭載されるものとする。
【００１９】
表示制御部２０は、表示部２１の表示を制御する。表示部２１は、図示しない装置本体の前面に配置されており、白黒、あるいはカラーの液晶パネル、あるいは有機ＥＬ（電子蛍光）等からなる。表示制御部２０は、画面表示時に、視点位置検出部１８から送信された表示部２１上の視点位置について、虫眼鏡のような部分拡大表示処理を行う。この表示処理は、表示部２１での表示の直前に行うため、文字や、画像といった表示情報の境界を意識せず、部分拡大が可能である。
【００２０】
図３は、本実施形態による携帯電話機１１の動作を説明するためのフローチャートである。まず、当該携帯電話機１１の利用者が、操作キー１７、キー入力部１６を介して、視点位置拡大機能ＯＮとすると、視点位置拡大機能の動作が開始される（ステップＳ１）。その後、カメラ１９により、画面を閲覧している利用者が撮影され（ステップＳ２）、視点位置検出部１８により、カメラ１９から入力された撮影画像から利用者の視点の位置が検出され、表示部２１のどの位置に視点があるのかが算出される（ステップＳ３）。なお視点位置の検出は、公知の技術等を用いるようにすれば良い。
【００２１】
そして、利用者の視点位置が一定範囲内に留まった状態で一定時間経過したか否かを判定し（ステップＳ４）、一定時間経過する前に視点位置が動けば（ステップＳ４のＮＯ）、ステップＳ２に戻り、上述した処理を繰り返す。
【００２２】
一方、視点位置が一定範囲内に留まった状態で一定時間経過すれば（ステップＳ４のＹＥＳ）、表示制御部２０により、表示部２１の画面上の視点位置が、図１に示すように、部分拡大されて表示される（ステップＳ５）。次に、利用者が、操作キー１７、キー入力部１６を介して、視点位置拡大機能ＯＦＦとしたか否かを判定し（ステップＳ６）、視点位置拡大機能ＯＦＦとしなければ（ステップＳ６のＮＯ）、ステップＳ２に戻り、上述した処理を繰り返す。
【００２３】
一方、利用者が、操作キー１７、キー入力部１６を介して、視点位置拡大機能ＯＦＦとすると（ステップＳ６のＹＥＳ）、当該視点位置拡大機能を終了する。
【００２４】
上述した実施形態によれば、視点位置拡大機能により、画面の小さな携帯端末装置にて、画面上に表示された文字や、画像等の情報を、利用者の手間なく視点位置のみ部分拡大することができる。このため、高齢者のような視力の悪い利用者の場合でも、画面の情報を手間なく、視点位置のみ拡大された状態で閲覧することができる。
【００２５】
また、視点を画面全体にずらした場合には、ある一定時間は、視点位置も部分拡大されず、本来画面に表示される情報がそのまま表示可能となる。このため、画面全体を拡大した場合のように、本来画面に表示されるはずの情報が減ることなく、本来の画面が閲覧可能となり、画面の全体像の把握が可能となる。
【００２６】
また、本発明は、視点位置の部分拡大範囲の大きさや、部分拡大範囲の形状については特に限定はしない。図１では、一例として、部分拡大範囲の形状を円形としているが、四角形や、アメーバ状であってもよい。
【産業上の利用可能性】
【００２７】
本発明は、携帯電話機、ＰＨＳ（Personal Handyphone System）、ＰＤＡ（Personal Data Assistance，Personal Digital Assistants：個人向け携帯型情報通信機器）等の携帯端末装置であって、カメラと画面表示部が搭載されている装置、及びシステムであれば適用可能である。
【符号の説明】
【００２８】
１１  携帯電話機
１２  ＣＰＵ
１３  バス
１４  ＲＯＭ
１５  作業用メモリ
１６  キー入力部
１７  操作キー
１８  視線位置検出部
１９  カメラ
２０  表示制御部
２１  表示部
【図１】
2012084040.tif 000003
【図２】
2012084040.tif 000004
【図３】
2012084040.tif 000005